(57)【要約】【課題】バルブの開閉状態を外部から簡単且つ確実に確認できるようにし、これによって漏油・漏気を原因として大惨事が生じる事態の発生を未然に防止した手動操作バルブの開閉状態表示装置を提供する。【解決手段】本発明に係る手動操作バルブの開閉状態表示装置は、スピンドルの上部に設けられ、基本指針を刻設して成るハンドル部と、スピンドルを回転可能に支持する袋ナット部との間に開閉状態表示装置を備え、当該開閉状態表示装置は、スピンドルに固定された平歯車と、当該平歯車を内接噛合させて連動回転可能とし、且つ前記ハンドル部の基本指針によって指示されるよう、外周に開表示および閉表示を刻設して成るリング状のインターナルギアを備えている。【選択図】図２
2008032186.tif 000002
【特許請求の範囲】
【請求項１】
スピンドルの上部に設けられ、基本指針を刻設して成るハンドル部と、スピンドルを回転可能に支持する袋ナット部との間に開閉状態表示装置を備え、当該開閉状態表示装置は、スピンドルに固定された平歯車と、当該平歯車を内接噛合させて連動回転可能とし、且つ前記ハンドル部の基本指針によって指示されるよう、外周に開表示および閉表示を刻設して成るリング状のインターナルギアを備えていることを特徴とする手動操作バルブの開閉状態表示装置。
【請求項２】
スピンドルの上部に設けられたハンドル部と、スピンドルを回転可能に支持する袋ナット部との間に開閉状態表示装置を備え、当該開閉状態表示装置は、スピンドルに固定されたピニオンギアと、当該ピニオンギアを噛合させて水平駆動可能としたラックギアを備え、当該ラックギアの両端に設けられた基本指針によって指示されるよう、常時開・閉もしくは常時閉・開の表示を刻設して成る装置平面部を備えていることを特徴とする手動操作バルブの開閉状態表示装置。
【発明の詳細な説明】
【技術分野】
【０００１】
本発明は、例えば、地中送電線等のＯＦケーブル内に油を充填した際の油や油槽内の点検を行うために使用される閉止バルブ、または、変電設備における変圧器の絶縁油、ガス絶縁開閉装置に使用する絶縁体のエアー配管等に使用される閉止バルブの手動操作を行う際に、バルブの開閉状態を明確に表示するための手動操作バルブの開閉状態表示装置に関するものである。
【背景技術】
【０００２】
地中送電線のＯＦケーブルは、当該ＯＦケーブル内に油を充填して絶縁状態を維持している。
【０００３】
このＯＦケーブル間には、図６に示すように、閉止バルブＶが設置されている。閉止バルブＶは、図７に示すように、基本指針を刻設して成るハンドル部Ｈと、スピンドルＳを回転可能に支持する袋ナット部Ｎを備えている。
【０００４】
また、図７に示すように、この閉止バルブＶの袋ナット部Ｎの下方開口側には、配管経路Ｐ上に固設されたフランジＦの上側開口部を嵌合させ、当該フランジＦ内には、スピンドルＳ下端のねじ切り部Ｑに連繋されたケレップＫがベローズＢを介して装備されている。
【０００５】
そして、ＯＦケーブル内の油や油槽内を点検する時には、閉止バルブＶを全閉にして点検を行い、点検終了後には閉止バルブＶを再び全開に戻すのである。
【０００６】
また、変電設備における変圧器の絶縁油、ガス絶縁開閉装置に使用する絶縁体のＳＦ６ガスおよび開閉器を操作する媒体としてのエアー配管等においても、予め定められた開閉状態となるよう、点検時にはバルブを開閉し、点検終了後にはバルブを元の状態に戻すようにしている。
【０００７】
この様な装置においては、点検時にバルブが開状態であるのか、閉状態であるのかを、確実に認識していなければならない。
【０００８】
そして、バルブの開閉状態を確認するために、特許文献１に開示されているバルブの開閉表示装置のように、バルブ本体のスピンドルに設けられた雄ネジ上部のハンドルに指針を設けると共に、バルブ本体およびバルブ本体を固定するナット部のそれぞれに開閉表示を設けて、開閉動作後のバルブの位置を表示する方法がある。
【特許文献１】特開２０００−１７９７４４号公報
【発明の開示】
【発明が解決しようとする課題】
【０００９】
しかしながら、従来においては、点検時にバルブを全閉にしたり全開にしたりするが、全閉、全開の確認はバルブを操作する者の勘に頼っているのが実状である。そのため、バルブが半開であるのに、全開または全閉であると誤認することがあった。
【００１０】
すなわち、バルブの外部に、全開状態を示す「常時開」、または、全閉状態を示す「常時閉」等のような開閉状態の表示がないため、バルブが閉じているにも拘わらず全開と誤認し、開弁操作を怠ってしまうことがある。
【００１１】
その結果、バルブが機能しなくなり、漏油・漏気を原因として大惨事を引き起こす可能性があった。
【００１２】
また、特許文献１に示す改良型のように、既設の設備を対象にして改良する場合には、この設備を一旦停止しなければこのような改良型に交換することができない。すなわち、先願技術にある多くのハンドルとナット部に指針と開閉表示を設けることは、交換時に設備を全て停止させることが必要なことに加えて、スピンドルのネジの緩みでハンドルの回転数が変化し、正確性を欠くという問題点を有していた。
【００１３】
一方、装置の全体をバタフライ弁に取り替える手法も考えられるが、これも設備を一旦停止しなければならず、また、取り替えの費用も嵩むものであるため、問題点が多い。
【００１４】
そこで、本発明は如上のような従来存した諸事情に鑑み創出されたもので、バルブの開閉状態を外部から簡単且つ確実に確認できるようにし、これによって漏油・漏気を原因として大惨事が生じる事態の発生を未然に防止した手動操作バルブの開閉状態表示装置を提供することを目的とする。
【課題を解決するための手段】
【００１５】
本発明に係る手動操作バルブの開閉状態表示装置は、スピンドルの上部に設けられ、基本指針を刻設して成るハンドル部と、スピンドルを回転可能に支持する袋ナット部との間に開閉状態表示装置を備え、当該開閉状態表示装置は、スピンドルに固定された平歯車と、当該平歯車を内接噛合させて連動回転可能とし、且つ前記ハンドル部の基本指針によって指示されるよう、外周に開表示および閉表示を刻設して成るリング状のインターナルギアを備えていることによって、上述した課題を解決した。
【００１６】
また、スピンドルの上部に設けられたハンドル部と、スピンドルを回転可能に支持する袋ナット部との間に開閉状態表示装置を備え、当該開閉状態表示装置は、スピンドルに固定されたピニオンギアと、当該ピニオンギアを噛合させて水平駆動可能としたラックギアを備え、当該ラックギアの両端に設けられた基本指針によって指示されるよう、常時開・閉もしくは常時閉・開の表示を刻設して成る装置平面部を備えていることによって、同じく上述した課題を解決した。
【発明の効果】
【００１７】
本発明によれば、バルブが開いた状態であるのか、閉じた状態であるのかを、誰もが簡単に確認できる。
【００１８】
また、バルブの開閉状態を外部から確実に確認できる。
【００１９】
その結果、例えば、バルブが閉じているにも拘わらず全開と誤認し、開弁操作を怠ってしまうような事態を確実に回避することができる。
【００２０】
そのため、バルブが機能しなくなる事態も確実に回避して、漏油・漏気を原因として生じる大惨事の発生を未然に防止できるのである。
【００２１】
すなわち、本発明に係る手動操作バルブの開閉状態表示装置は、スピンドルの上部に設けられ、基本指針を刻設して成るハンドル部と、スピンドルを回転可能に支持する袋ナット部との間に開閉状態表示装置を備え、当該開閉状態表示装置は、スピンドルに固定された平歯車と、当該平歯車を内接噛合させて連動回転可能とし、且つ前記ハンドル部の基本指針によって指示されるよう、外周に開表示および閉表示を刻設して成るリング状のインターナルギアを備えていることから、
バルブの操作時において、ハンドル部に刻設された基本指針が、インターナルギアに刻設された「開」表示もしくは「閉」表示を指示することにより、バルブの全開もしくは全閉を確実に確認できるのである。
【００２２】
さらに、ハンドル部に刻設された基本指針が、インターナルギアに刻設された「開」表示もしくは「閉」表示を指示することにより、遠方からでもバルブの開閉状態の確認が可能となる。
【００２３】
また、スピンドルの上部に設けられたハンドル部と、スピンドルを回転可能に支持する袋ナット部との間に開閉状態表示装置を備え、当該開閉状態表示装置は、スピンドルに固定されたピニオンギアと、当該ピニオンギアを噛合させて水平駆動可能としたラックギアを備え、当該ラックギアの両端に設けられた基本指針によって指示されるよう、常時開・閉もしくは常時閉・開の表示を刻設して成る装置平面部を備えていることから、バルブの操作時において、ハンドル部に刻設された基本指針が、装置平面部に刻設された「常時開」表示もしくは「常時閉」表示を指示することにより、常時運転状態とバルブの開閉状態を確実に確認できる。
【発明を実施するための最良の形態】
【００２４】
以下に、本発明を実施するための最良の形態について、図面を参照して説明する。
【００２５】
本発明に係る手動操作バルブの開閉状態表示装置は、例えば、地中送電線等のＯＦケーブル内に油を充填した際の油や油槽内の点検を行うために使用される閉止バルブ、または、変電設備における変圧器の絶縁油、ガス絶縁開閉装置に使用する絶縁体のエアー配管等に使用される閉止バルブ等の手動操作バルブ1に設置される装置である。
【００２６】
この手動操作バルブ１は、図１・図２（ｂ）に示すように、矢印状の基本指針１５を刻設して成るハンドル部Ｈと、スピンドルＳを回転可能に支持する袋ナット部Ｎとを備えている。
【００２７】
この袋ナット部Ｎの下方開口側には、配管経路Ｐ上に固設されたフランジＦの上側開口部が嵌合され、当該フランジＦ内には、スピンドルＳ下端のねじ切り部Ｑに連繋されたケレップＫがベローズＢを介して装備されている。
【００２８】
そして、ＯＦケーブル内の油や油槽内を点検する時には、この手動操作バルブ１を全閉にして点検を行い、点検終了後には手動操作バルブ１を再び全開に戻すのである。
【００２９】
ハンドル部Ｈと、スピンドルＳを回転可能に支持する袋ナット部Ｎとの間には、本発明に係る開閉状態表示装置１１が取り付けられている。この開閉状態表示装置１１は、バルブの開状態と閉状態を明確に表示するものである。
【００３０】
開閉状態表示装置１１は、図２・図３に示すように、平歯車１２とインターナルギア１３を備えている。具体的には、ハンドル部Ｈと袋ナット部Ｎとの間に露出しているスピンドルＳ部分に小径の平歯車１２が固設されており、当該平歯車１２は、大径リング状のインターナルギア１３の内歯に内接噛合させている。
【００３１】
インターナルギア１３自体は、自身の周側面が４組のローラ１３ａによって回転可能に支承されている。また、インターナルギア１３には、図２（ａ）に示すように、前記ハンドル部Ｈの基本指針１５によって指示されるよう、略９０度の位置に開表示１４ａおよび閉表示１４ｂのそれぞれを刻設している。これらの両表示１４ａ，１４ｂのそれぞれは、４組のローラ１３ａを内蔵している装置平面部２３に設けた表示窓から見えるようになっている。
【００３２】
そして、平歯車１２と一体となっているハンドル部Ｈを、手動操作バルブ１が開いた状態で閉位置まで回転させると、インターナルギア１３が３／４回転するように、双方のギア比が設定されている。例えば、手動操作バルブ１において、バルブの開状態からハンドル部Ｈを２回転させて、バルブの閉状態とする場合には、平歯車１２とインターナルギア１３のギア比率は、ＮＡ：（ＮＡ×２）／（３／４）となる。ただし、平歯車１２の歯数をＮＡとする。
【００３３】
次に、以上のように構成された本発明の最良の形態について、使用・動作の一例を説明する。
【００３４】
まず、図２に示すように、ハンドル部Ｈの基本指針１５は、最初にインターナルギア１３の開表示１４ａを指示している。このときは、手動操作バルブ１において、バルブの全開状態となっている。このハンドル部Ｈの基本指針１５が開表示１４ａを指示していることで、手動操作バルブ１において、バルブが確実に開状態となっていることが確認できる。
【００３５】
そして、平歯車１２と一体となっているハンドル部Ｈを回転させ、バルブの全閉状態とする。このとき、平歯車１２を２回転させることで、インターナルギア１３が３／４回転し、ハンドル部Ｈの基本指針１５は、インターナルギア１３の閉表示１４ｂを指示している。これによって、手動操作バルブ１において、バルブが確実に閉状態となっていることが確認できる。
【００３６】
この他、図４・図５には、本発明における開閉状態表示装置１１の他の実施例が示されている。尚、前記した図１乃至図３に示した構成と略同じ部分には、同一の符号を付すことにより、その詳細な説明を省略する。
【００３７】
本形態における開閉状態表示装置１１は、ハンドル部Ｈと袋ナット部Ｎとの間に露出しているスピンドルＳ部分に小径のピニオンギア２１が固設されている。このピニオンギア２１は、支持部２５を介して水平方向にスライド可能に支承された帯板状のラックギア２２の内歯に噛合させている。そのため、ハンドル部Ｈの左右の回転操作により、ピニオンギア２１を介してラックギア２２が左右の水平方向に駆動されるのである。
【００３８】
そして、図４に示すように、ラックギア２２の一端には、例えば、赤色矢印による開指針２２ａを設け、他端には青色矢印による閉指針２２ｂを設けている。また、装置平面部２３には、「常時開」＋「閉」、もしくは「開」＋「常時閉」の表示２４ａ，２４ｂが刻設されている。
【００３９】
使用に際しては、最初にラックギア２２の開指針２２ａは、装置平面部２３の「常時開」の表示２４ａを指示している。このときは、手動操作バルブ１において、バルブが常時開状態となっている。このハンドル部Ｈの基本指針１５が「常時開」の表示２４ａを指示していることで、手動操作バルブ１において、バルブが確実に常時開状態となっていることが確認できる。
【００４０】
そして、ピニオンギア２１と一体となっているハンドル部Ｈを廻すと、手動操作バルブ１は開状態から閉状態となる。このとき、ラックギア２２は、逆方向に水平移動して、ラックギア２２の閉指針２２ｂは、装置平面部２３の「閉」の表示２４ｂを指示する。これによって、手動操作バルブ１において、バルブが確実に閉状態となっていることが確認できる。
【産業上の利用可能性】
【００４１】
本発明に係る開閉状態表示装置１１は、地中送電線等のＯＦケーブル内に油を充填した際の油や油槽内の点検を行うために使用される閉止バルブ、変電設備における変圧器の絶縁油、ガス絶縁開閉装置に使用する絶縁体のエアー配管等に使用される閉止バルブ等の他に、手動操作に伴い開閉状態を明確に表示することを目的として、多くの手動操作バルブに幅広く利用されるものである。
【図面の簡単な説明】
【００４２】
【図１】本発明に係る開閉状態表示装置を手動操作バルブに組み付ける状態を示す一部分解の断面図である。
【図２】開閉状態表示装置を手動操作バルブに組み付けた状態を示し、（ａ）はハンドル部の基本指針がインターナルギアの開表示を指示し、バルブが全開状態となっている状態を示す平面図、（ｂ）はンドル部の基本指針がインターナルギアの閉表示を指示し、バルブが閉状態となっている状態を示す平面図である。
【図３】開閉状態表示装置を手動操作バルブに組み付けた状態を示す斜視図である。
【図４】本発明の他の実施例であり、支持部を介して水平方向にスライド可能に支承された帯板状のラックギアを備えている開閉状態表示装置の平面図である。
【図５】本発明の他の実施例であり、支持部を介して水平方向にスライド可能に支承された帯板状のラックギアを備えている開閉状態表示装置の斜視図である。
【図６】従来の手動操作バルブの構成を示す斜視図である。
【図７】従来の手動操作バルブの構成を示す断面図である。
【符号の説明】
【００４３】
Ｐ…配管経路
Ｑ…ねじ切り部
Ｈ…ハンドル部
Ｓ…スピンドル
Ｋ…ケレップ
Ｂ…ベローズ
Ｆ…フランジ
Ｎ…袋ナット部
V…閉止バルブ
１…手動操作バルブ
１１…開閉状態表示装置
１２…平歯車
１３…インターナルギア
１３ａ…ローラ
１４ａ…開表示
１４ｂ…閉表示
１５…基本指針
２１…ピニオンギア
２２…ラックギア
２２ａ…開指針
２２ｂ…閉指針
２３…装置平面部
２４ａ…表示
２４ｂ…表示
２５…支持部
【図１】
2008032186.tif 000003
【図２】
2008032186.tif 000004
【図３】
2008032186.tif 000005
【図４】
2008032186.tif 000006
【図５】
2008032186.tif 000007
【図６】
2008032186.tif 000008
【図７】
2008032186.tif 000009